(57)【要約】      （修正有）【課題】簡易な構造で構成可能な電動サンダを提供する。【解決手段】電動サンダは、ハウジングとハウジング内に内蔵されたモータと、モータの駆動により回転する回転軸と、回転軸に取り付けられた偏心ナットと偏心ナットが嵌め込まれると共に、偏心ナットが摺接する孔部を有するパッド部材と、ハウジングに取り付けられたベース部材と、パッド部材とベース部材との間に介在され、パッド部材を支持する支持部材とにより構成される。支持部材は、スライドベアリング又はゴム製の柱材を用いて構成される。パッド部材に剥離刃を取付ける。【選択図】図１
0003181047.tif 000002
【実用新案登録請求の範囲】
【請求項１】
ハウジング（２）と当該ハウジング（２）内に内蔵されたモータ（３）と、前記モータ（３）の駆動により回転するスピンドル（７）と、当該スピンドル（７）に取り付けられた偏心ナット（９）と、当該偏心ナット（９）が嵌め込まれると共に、偏心ナット（９）が摺接する孔部（１６ａ）を有するパッド板材（１６）と、ハウジング（２）に取り付けられたベース部材（１０）と、パッド部材（１６）とベース部材（１０）との間に介在され、パッド部材（１０）を支持する支持部材と、により成る電動サンダ。
【請求項２】
支持部材がスライドベアリング（１８）である請求項１記載の電動サンダ。
【請求項３】
支持部材がゴム製の柱材（１９）である請求項１に記載の電動サンダ。
【請求項４】
パッド部材（１６）に剥離刃（２０）を取り付けた請求項１乃至請求項３いずれかに記載の電動サンダ。
【考案の詳細な説明】
【技術分野】
【０００１】
本考案は、木材・金属の研磨・塗装はがし・錆び落とし等に使用される携帯式電動工具である電動サンダに関する。
【背景技術】
【０００２】
被研磨材の表面、例えば金属表面を研磨して錆を取るとか、あるいは表面を平滑にしたり、塗料は剥がす、あるいはガラスの表面に貼着されたフィルムを剥がすための電動工具として電動サンダが用いられることがある。この電動サンダには、モータの回転軸に接続された偏心軸を介してパッドが偏心運動と同時に回転するランダムサンダと、パッドが偏心して平面上の円運動をするが回転はしないオービタルサンダがあり、被研磨材の材質や荒磨き・仕上げ磨き等の用途によって使い分けされている。  
【０００３】
かかる電動サンダに関する先行技術文献として、パッドの運動を簡単な変更手段と操作によって容易に変更することができる、ランダムサンダとオービタルサンダの両用機を開示したもの（特許文献１）や、サンドペーパを簡便かつ確実に固定可能とし、その際にサンドペーパに所要の張力を作用させるクランプ機構を具え、異なる厚さのサンドペーパであっても容易に操作可能とした電動サンダを開示したもの（特許文献２）などがある。
【先行技術文献】
【特許文献】
【０００４】
【特許文献１】特開２００３−１４５４０４号公報
【特許文献２】特開２００２−１０３１９６号公報
【考案の概要】
【考案が解決しようとする課題】
【０００５】
本考案は簡易な構造で構成可能な電動サンダを提供することを目的とする。
【課題を解決するための手段】
【０００６】
上記の目的を達成する本考案の構成は次の通りである。
【０００７】
（１）  請求項１記載に係る電動サンダは、ハウジングと当該ハウジング内に内蔵されたモータと、前記モータの駆動により回転するスピンドルと、当該スピンドルに取り付けられた偏心ナットと当該偏心ナットが嵌め込まれると共に、偏心ナットが摺接する孔部を有するパッド部材と、ハウジングに取り付けられたベース部材と、パッド部材とベース部材との間に介在され、パッド部材を支持する支持部材とにより構成される。
【０００８】
（２）  請求項２記載に係る電動サンダは、請求項１記載の考案において支持部材がスライドベアリングを用いて構成される。
【０００９】
（３）  請求項３記載に係る電動サンダは、請求項１記載の考案において支持部材がゴム製の柱材を用いて構成される。
【００１０】
（４）  請求項４記載に係る電動サンダは、請求項１乃至請求項３いずれかに記載の考案において、パッド部材に剥離刃を取付け構成される。
【考案の効果】
【００１１】
本考案においては、従来例におけるように偏心軸を用いてサンダを構成するのではなく、モータの回転軸に接続されたスピンドルに偏心ナットを取り付けることでサンダを構成してある。従来例のように偏心軸を用いるためには、スピンドルと偏心軸の接続を安定強固なものとするため複雑な機構を要したが、本考案によれば、スピンドルに偏心ナットを取付けるという簡易な構造で、サンダを提供すること可能となるものである。
【図面の簡単な説明】
【００１２】
【図１】本考案の一部分解構成図
【図２】本考案の一部構成図
【図３】本考案の一部分解構成図
【図４】本考案の側面図
【考案を実施するための形態】
【００１３】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１４】
図４に示すように、サンダ１のハウジング２内にはモータ３が内蔵され、当該モータ３の出力軸４の先端に第１ベベルギヤ５が一体に固着している。この第１ベベルギヤ５は、ハウジング２内で軸受６によって上下方向に軸支されるスピンドル７と一体の第２ベベルギヤ８と噛合し、出力軸４の回転をスピンドル７へ伝達可能としている。
【００１５】
スピンドル７の先端近傍にはネジ溝７ａが設けられており偏心ナット９が螺合可能に設けられている。
【００１６】
ハウジング２にはベース部材が１０がボルト等で固着されており、図１や図３に示すように、ベース部材１０に設けた孔部１０ａからネジ溝７ａが突出するものである。
【００１７】
ネジ溝７ａには偏心ナット９が螺合されるが、偏心ナット９の外周にはベアリング１１が嵌装され、当該ベリング１１はベアリングホルダ１２の孔部１２ａに装備され、スナップリング１３で固定されるものである。
【００１８】
ベアリングホルダ１２はボルト１４、ナット１５によりパッド部材１６と連結支持されており、ボルト１４の外周にはベアリング１７が嵌め込まれるものである。このベアリング１７は、ベアリングホルダ１２に設けた孔部１２ｂに装備され、偏心ナット９の回転に伴うベアリングホルダ１２の揺動を自在に支持するものである。
【００１９】
偏心ナット９の端部はパッド部材１６に設けた孔部１６ａに緩挿され、スピンドル７の回転に伴い、当該孔部１６ａに摺接するものである。この摺接運動によりパッド部材１６が揺動するものである。
【００２０】
パッド部材１６とベース部材１０は支持部材により連結支持されており、具体的には請求項２記載の考案においてはスライドベアリング１８を支持部材として用い、請求項３記載の考案においては弾性を有するゴム製の支柱１９を支持部材として用いている。
【００２１】
スライドベアリング１８を用いればパッド部材１６の揺動は前後方向（図２における矢印方向）の運動に変換され、塗装剥がしやフィルム剥がしの用途に好適に使用可能となるものである。
【００２２】
請求項４記載の考案においては、パッド部材１６に剥離刃２０が取付けられている。剥離刃２０の取付方法は、図１に示すように治具２１を介して取り付けても良いし、図３に示すようにパッド部材１６の先端を屈曲し、当該屈曲部位に剥離刃２０を取付けても良い。
【００２３】
また、パッド部材１６に研磨シートを取付ければ、研磨用途にも使用可能なものである。
【符号の説明】
【００２４】
１・・サンダ                ２・・ハウジング              ３・・モータ
４・・出力軸                ５・・第１ベベルギア          ６・・軸受
７・・スピンドル            ７ａ・・ネジ溝                ８・・第２ベベルギア
９・・偏心ナット            １０・・ベース部材            １１・・ベアリング
１２・・ベアリングホルダ    １２ａ・・孔部                １２ｂ・・孔部
１３・・スナップリング      １４・・ボルト                １５・・ナット
１６・・パッド部材          １６ａ・・孔部                １７・・ベアリング  
１８・・スライドベアリング  １９・・ゴム製支柱            ２０・・剥離刃  
２１・・治具        
【図１】
0003181047.tif 000003
【図２】
0003181047.tif 000004
【図３】
0003181047.tif 000005
【図４】
0003181047.tif 000006
【手続補正書】
【提出日】平成24年11月14日(2012.11.14)
【手続補正１】
【補正対象書類名】実用新案登録請求の範囲
【補正対象項目名】全文
【補正方法】変更
【補正の内容】
【実用新案登録請求の範囲】
【請求項１】
ハウジング（２）と当該ハウジング（２）内に内蔵されたモータ（３）と、前記モータ（３）の駆動により回転するスピンドル（７）と、当該スピンドル（７）に取り付けられた偏心ナット（９）と、当該偏心ナット（９）が嵌め込まれると共に、偏心ナット（９）が摺接する孔部（１６ａ）を有するパッド板材（１６）と、ハウジング（２）に取り付けられたベース部材（１０）と、パッド部材（１６）とベース部材（１０）との間に介在され、パッド部材（１６）を支持する支持部材と、により成る電動サンダ。
【請求項２】
支持部材がスライドベアリング（１８）である請求項１記載の電動サンダ。
【請求項３】
支持部材がゴム製の柱材（１９）である請求項１に記載の電動サンダ。
【請求項４】
パッド部材（１６）に剥離刃（２０）を取り付けた請求項１乃至請求項３いずれかに記載の電動サンダ。